(57)【要約】【課題】接着剤の付着する可能性のある装置の表面に、接着剤が付着しにくい樹脂を塗布し、接着剤を除去しやすくしたの製造装置を提供する。【解決手段】接着剤を介して斜めに積層された複数枚の平板状光学部材の端面に斜面を接触させる第１の三角柱部材と、  第１の三角柱部材の斜面と対向するように、斜めに積層された最下の平板状光学部材の面に斜面が接触するように配置する第２の三角柱部材又は台座と、  第１の三角柱部材、第２の三角柱部材又は台座を介して、斜めに積層された複数枚の平板状光学部材に斜め方向に加圧する加圧手段を備え、積層された複数枚の平板状光学部材に接触する、第１の三角柱部材、第２の三角柱部材、加工手段又は台座の全ての表面にフッ素樹脂を塗布したことを特徴とする光学部品製造装置。【選択図】図３
2010139740.tif 000002
【特許請求の範囲】
【請求項１】
接着剤を介して斜めに積層された複数枚の平板状光学部材の一方の端面に斜面を接触させる第１の三角柱部材と、
第１の三角柱部材の斜面と対向するように、斜めに積層された平板状光学部材の他方の端面に斜面が接触するように配置する第２の三角柱部材又は台座と、
第１の三角柱部材、第２の三角柱部材又は台座を介して、斜めに積層された複数枚の平板状光学部材の両端面の片方又は両方に斜め方向に加圧する加圧手段を備え、
積層された複数枚の平板状光学部材に接触する、第１の三角柱部材、第２の三角柱部材、加工手段又は台座の全ての表面にフッ素樹脂を塗布したことを特徴とする光学部品製造装置。
【発明の詳細な説明】
【技術分野】
【０００１】
本発明は、ＣＤ、ＤＶＤ、ブルーレイディスクなどに記録・再生するためのレコーダー、プロジェクタなどの投影装置、半導体露光装置、電子ビーム測定装置、測量機械に用いられる波長板、偏光板、プリズム、貼り合わせレンズなどの光学部品の製造装置に関する。
【背景技術】
【０００２】
従来から、ＣＤ、ＤＶＤなどに記録・再生するためのレコーダーに用いられるプリズムなどの光学デバイスの製造方法として、片面に光学膜を形成したガラス板等の平板状光学部材を複数枚、接着剤を介在させつつ、平板状光学部材の四隅をそろえて積層させてブロックプリズム構造体を形成し（いわゆる垂直積層方式）、このブロックプリズム構造体をスライスして光学デバイスとする製造方法が知られている。例えば特許文献１の第３頁、行番号０００３〜００１０、図７、図８に示されている。
【０００３】
また、特許文献１の第６頁、行番号００４４〜００４８、図４、図５に示すように、従来の斜め積層方式の光学デバイスの製造方法においては、ガラス板等の平板状光学部材を角度をつけて階段状に積み上げ積層した、ブロックプリズム構造体の左右の側面を、断面直角三角形状の傾斜基準ブロック部材と、その斜面を傾斜基準ブロック部材の斜面と対向させた断面二等辺直角三角形状の斜面押さえ部材とで挟み、斜面押さえ部材は斜面押さえ部材取付け板と貫通して形成されたネジ孔に外側から螺合された蝶ネジの先端に係合されて、加圧されている。なお、傾斜基準ブロック部材は、小型蝶ネジに取り付けられた背面板と下面基準部材に固定されて配置されている。
【特許文献１】特開２００２−１７９４４０号公報、図４、図５参照
【発明の開示】
【発明が解決しようとする課題】
【０００４】
しかし、従来の特許文献１に示されている光学部品製造装置においては、平板状光学部材間に塗布される接着剤がはみ出してしまい、装置の一部に付着し、それが平板状光学部材の表面に付着し、よごれ、傷をつけてしまう可能性がある。
【０００５】
そこで、本発明は、接着剤の付着する可能性のある、装置の全ての表面に、接着剤が付着しにくい樹脂を塗布し、接着剤を除去しやすくした、光学部品製造装置を提供することを目的とする。
【課題を解決するための手段】
【０００６】
本発明の解決手段を例示すると、特許請求の範囲に記載のとおりである。
【発明の効果】
【０００７】
本発明では、接着剤が付着する可能性のある装置の全ての表面に、接着剤が付着しにくい樹脂を塗布したことから、全ての表面から接着剤を容易に除去しやすくなり、ガラス板等の平板状光学部材の表面を汚すことなく、清潔で、綺麗にすることができる。
【発明を実施するための最良の形態】
【０００８】
本発明は、接着剤を介して斜めに積層された複数枚の平板状光学部材の一方の端面に斜面を接触させる第１の三角柱部材と、第１の三角柱部材の斜面と対向するように、斜めに積層された平板状光学部材の他方の端面に斜面が接触するように配置する第２の三角柱部材又は台座と、第１の三角柱部材、第２の三角柱部材又は台座を介して、斜めに積層された複数枚の平板状光学部材の両端面の片方又は両方に斜め方向に加圧する加圧手段を備え、積層された複数枚の平板状光学部材に接触する、第１の三角柱部材、第２の三角柱部材、加工手段又は台座の全ての表面にフッ素樹脂を塗布したことを特徴とする。接着剤が付着する可能性のある装置の全ての表面には、付着する接着剤を剥がし易くした素材をコートしているので、万一接着剤が付着したときに、容易に接着剤を剥がし、除去し、製造する光学部品の表面および中間の面に、余分な接着剤が付着することがない。
【０００９】
本発明の光学部品製造装置においては、好ましくは、斜め積層状態のブロック構造体の一方の端面から、１つの三角柱部材を介して、斜め方向に、かつ階段状の側面に沿って加圧する。
【００１０】
より好ましくは、まず、複数枚の平板状光学部材を接着剤を介して四隅をそろえて垂直に積層して、垂直積層状態のブロック構造体を形成し、そのあと、接着剤が硬化する前に、垂直積層状態のブロック構造体を変形して、階段状の側面を有する斜め積層状態のブロック構造体を形成する。
【００１１】
さらに好ましくは、階段状の側面を有する斜め積層状態のブロック構造体の両端面の片方又は両方に三角柱部材の斜面を接触させ、三角柱部材を介して、斜め積層状態のブロック構造体の端面から、所定の斜め方向に、かつ階段状の側面に沿って加圧する。
【００１２】
例えば、２つの三角柱部材（すなわち第１及び第２の三角柱部材）を用いる。そして、複数枚の平板状光学部材を接着剤を介して斜めに積層した斜め積層状態のブロック構造体を形成し、第１の三角柱部材の下向きの斜面を最上の平板状光学部材の上面に接触させ、かつ、第１の三角柱部材の斜面に対向するように、斜め積層状態のブロック構造体の最下の平板状光学部材の下面を第２の三角柱部材の上向きの斜面に接触させて配置する。この状態で、第１の三角柱部材を介して斜め積層状態のブロック構造体の上端面から斜め方向に加圧して、複数枚の平板状光学部材を貼り合わせる。そのように貼り合わされた複数枚の平板状光学部材を切り出して複数の積層光学部品を製造する。
【００１３】
より好ましくは、二等辺直角三角形の横断面を有する１つ又は２つの三角柱部材を使用する。
【００１４】
また、複数枚の平板状光学部材の面に接着剤を設けて、複数枚の平板状光学部材を平らに積み、その後、複数枚積層した平板状光学部材を斜め４５度に傾け、第１の三角柱部材の下向きの斜面を複数枚積層した最上の平板状光学部材の上面に接触させるとともに、第１の三角柱部材の斜面に対向するように、積層された最下の平板状光学部材の下面を第２の三角柱部材の斜面又は台座の斜面に接触させる。この状態で、第１の三角柱部材、第２の三角柱部材又は台座を介して複数枚の平板状光学部材に対して斜め方向に加圧して、複数枚の平板状光学部材を貼り合わせる。そのように貼り合わされた複数枚の平板状光学部材を切り出して、複数の積層光学部品を製造する。
【００１５】
１つの二等辺直角三角柱部材と台座を用いることができる。その場合、台座の斜面を下側に配置し、二等辺直角三角柱部材を上下交互に使用するのが好ましい。
【００１６】
本発明の別の好ましい実施形態においては、光学部品製造装置は、接着剤を介して斜めに積層された複数枚の平板状光学部材の端面に斜面を接触させる第１の三角柱部材と、第１の三角柱部材の斜面と対向するように、斜めに積層された最下の平板状光学部材の面に斜面が接触するように配置する第２の三角柱部材又は台座と、第１の三角柱部材、第２の三角柱部材又は台座を介して斜めに積層された平板状光学部材に斜め方向に加圧する加圧手段を備えている。
【００１７】
本発明の光学部品製造装置のうち、接着剤が付着する可能性のある全ての表面には、付着する接着剤を剥がし易くした素材をコートしているので、万一接着剤が一部の表面に付着したときに、容易に接着剤を剥がし、除去することができる。それゆえ、製造する光学部品の表面および中間の面に、余分な接着剤が付着することを防止できる。
【００１８】
以下、図面を参照して、本発明の実施例を説明する。
【実施例】
【００１９】
図１に示すように、まず、複数枚の平板状光学部材１０を接着剤を介して四隅をそろえて垂直に積層して、垂直積層状態のブロック構造体１２を形成する。例えば、多数のガラス板等の平板状光学部材１０の各々の片面に接着剤を塗布し、四隅をそろえて垂直に積層する垂直積層方式により、多数の平板状光学部材１０を積層して、垂直積層状態のブロック構造体１２を作る。
【００２０】
次に、図２に示すように、接着剤が硬化する前に、垂直積層状態のブロック構造体１２を変形して、階段状の側面１４を有する斜め積層状態のブロック構造体１６を形成する。
【００２１】
例えば、複数枚積層した平板状光学部材１０からなる斜め積層状態のブロック構造体１６は、斜め４５度に傾けたものである。
【００２２】
すなわち、図１に示す垂直積層方式のブロック構造体１２を、接着剤が硬化する前に、斜め４５度に傾斜するように変形させて、図２に示す斜め積層状態のガラス板等の平板状光学部材１０からなるブロック構造体１６を形成する。このとき、多数の平板状光学部材１０が、４５度の角度をつけて階段状に積み上げて積層されている。
【００２３】
図３に示すように、第１の直角二等辺三角柱部材２０と第２の直角二等辺三角柱部材１８により、積層された多数のガラス板等の平板状光学部材１０からなる斜め積層状態のブロック構造体１６の両端面を挟持し加圧する。このとき、多数の平板状光学部材１０からなるブロック構造体１６の端面が、直角二等辺三角柱部材１８、２０の斜面に接触している。
【００２４】
その後、ガラス板等の平板状光学部材１０からなる斜めに積層された状態のブロック構造体１６を直角二等辺三角柱部材１８、２０からなる工具から取り外し、図４に例示するように、ワイヤーカッター（図示せず）などで斜め積層状態の平板状光学部材１０を切断し、棒状の光学部材を形成し、さらに、その棒状の光学部材をサイコロ状に切断し、プリズムなどの光学部品を製造する。その際、通常のカッターやワイヤーカッターなどで平板状光学部材１０を切断し、平板状の部材にカットするのが好ましい。とくに、ワイヤーカッターなどを（例えば、図４に実線で示す形で矢印方向に）スライドさせ、複数の平板状の部材を作製し、さらに、平板状の部材を更に棒状部材にカットし、更にサイコロ状の部材にカットすることが好ましい。
【００２５】
本発明においては、第１の三角柱部材、第２の三角柱部材、加工手段又は台座における接着剤の付着する可能性のある全ての表面にフッ素樹脂を塗布している。台座、第１及び第２の直角三角柱部材、とくに垂直積層面、側面突当棒部材、背面支持部材などの表面に、付着する接着剤を剥がし易くした素材（例えば、変性フッ素樹脂塗料やフッ素樹脂塗料などのフッ素樹脂）をコートしている。それゆえ、万一接着剤がそれらの表面に多量に付着しても、簡単に接着剤を剥がし、除去し、製造する光学部品の表面および中間の面に、余分な接着剤が付着することがない。
【００２６】
本発明は、前述の実施例に限定されない。
【００２７】
例えば、前記実施例においては、階段状の側面１４を有する斜め積層状態のブロック構造体１６に対する加圧方向が鉛直方向（図３においては上下方向）であったが、本発明は、これに限定されない。変形例をあげれば、図６に示すように、階段状の側面１４を有する斜め積層状態のブロック構造体１６に対する加圧方向（矢印の方向）は水平方向であってもよい。また、図７に示すように、斜め積層状態のブロック構造体１６の下端面を台座やベースの水平面に載置し、斜め積層状態のブロック構造体１６の上端に三角柱部材２０の斜面を接触させて設け、階段状の側面１４を有する斜め積層状態のブロック構造体１６の上端面に三角柱部材２０の斜面を接触させた状態で、この三角柱部材２０のみを介して、斜め積層状態のブロック構造体１６の端面から、所定の斜め方向（図７では水平面に対して４５度の角度に）階段状の側面１４に沿って加圧してもよい。
【００２８】
また、上記実施例では、複数枚のガラス板等の平板状光学部材のブロック構造体の面を支持押圧する部材として、傾斜角度４５度の二等辺直角三角柱部材を用いたが、本発明は、これに限定されず、傾斜角度４０度程度の直角三角柱部材であってもいいし、直角三角柱ではない一般的な三角柱であってもいいし、その他の任意の部材、例えば平行四辺形柱部材、ひし形柱部材などであってもよい。
【００２９】
また、加圧手段６０は、テコ方式のものでもよいし、他の方式（例えば油圧方式）のものでもよい。
【００３０】
また、本発明は、図５に示す垂直荷重方式による平板状光学部材のブロック構造体にも適用できる。
【図面の簡単な説明】
【００３１】
【図１】複数枚の平板状光学部材を接着剤を介して四隅をそろえて垂直に積層して、垂直積層状態のブロック構造体を形成した状態を示す。
【図２】接着剤が硬化する前に、図に示す垂直積層状態のブロック構造体を変形して、階段状の側面を有する斜め積層状態のブロック構造体を形成した状態を示す。
【図３】階段状の側面を有する斜め積層状態のブロック構造体の端面に三角柱部材の斜面を接触させた状態で、三角柱部材を介して、斜め積層状態のブロック構造体の端面から、所定の斜め方向に、かつ階段状の側面に沿って加圧する状態を示す。
【図４】斜め積層状態の硬化後のブロック構造体をワイヤーカッター等で切断する方法を示す説明図。
【図５】垂直荷重方式による平板状光学部材のブロック構造体の接着層の厚さ解析を示す。
【図６】本発明の更に別の実施例を示す。
【図７】本発明の更に別の実施例を示す。
【符号の説明】
【００３２】
１０  平板状光学部材
１２  垂直積層状態のブロック構造体
１４  階段状の側面
１６  斜め積層状態のブロック構造体
１８、２０、２４  二等辺三角柱部材
２１、２２、２３  突当部材
２５  背面支持部材
２６  台座
３０  ベース
２８  ブロック構造体
【図１】
2010139740.tif 000003
【図２】
2010139740.tif 000004
【図３】
2010139740.tif 000005
【図４】
2010139740.tif 000006
【図５】
2010139740.tif 000007
【図６】
2010139740.tif 000008
【図７】
2010139740.tif 000009